(57)【要約】【課題】表示ユニットの浮遊感を演出することができる映像表示装置を提供する。【解決手段】映像表示装置１は、映像を表示する表示ユニット３と、少なくとも一部に透光性を有し、表示ユニット３を立設状態で支持する右側支持部５及び左側支持部７と、表示ユニット３に設けられ、右側支持部５及び左側支持部７の少なくとも一部に光を照射する右側第１光源３１及び左側第１光源３２とを備える。【選択図】図１４
2020095061.tif 000002
【特許請求の範囲】
【請求項１】
映像を表示する表示ユニットと、
少なくとも一部に透光性を有し、前記表示ユニットを立設状態で支持する少なくとも１つの支持部と、
前記表示ユニットに設けられ、前記支持部の少なくとも一部に光を照射する少なくとも１つの第１光源とを備える
映像表示装置。
【請求項２】
前記支持部は、透光性を有する透光部と、前記透光部に係合する金属製の本体部とを備える
請求項１記載の映像表示装置。
【請求項３】
さらに、
前記第１光源が照射する光を前記透光部へ透光するライトガイドを有する
請求項２記載の映像表示装置。
【請求項４】
さらに、
前記表示ユニットの外周に沿って配置される複数の第２光源と、
各前記第２光源が照射するそれぞれの光を拡散する複数の拡散板とを備える
請求項１〜３のいずれか１項に記載の映像表示装置。 
【請求項５】
さらに、
前記第１光源及び前記第２光源に制御信号を出力する制御部を備え、
前記制御部は、前記第１光源及び前記第２光源が照射する光を昼白色又は電球色に切替える
請求項４記載の映像表示装置。
【請求項６】
さらに、
照度を検知するセンサ部を備え、
前記制御部は、さらに、
前記センサ部が検知した照度が所定の閾値未満の場合に、前記第１光源及び前記第２光源の少なくともいずれかから光を照射させるように制御し、
前記センサ部が検知した照度が所定の閾値以上の場合に、前記第１光源及び前記第２光源の照射を停止させるように制御する
請求項５記載の映像表示装置。
【請求項７】
前記表示ユニットには、各前記第２光源から照射するそれぞれの光を各前記拡散板に導く複数の貫通孔が形成され、
前記貫通孔は、各前記拡散板から前記第２光源に近づくほど狭まっている
請求項４〜６のいずれか１項に記載の映像表示装置。
【発明の詳細な説明】
【技術分野】
【０００１】
本開示は、映像を表示する映像表示装置に関し、特に、表示ユニットの周囲から光を出射することができる映像表示装置に関するものである。
【背景技術】
【０００２】
従来、表示ユニット（ディスプレイパネル）から発生した光を、表示ユニットの周辺に照らす映像表示装置（ディスプレイ装置）が知られている（例えば特許文献１参照）。
【先行技術文献】
【特許文献】
【０００３】
【特許文献１】特開２００６−２５９６６７号公報
【発明の概要】
【発明が解決しようとする課題】
【０００４】
しかし、上記従来の映像表示装置では、表示ユニットで発生した光をその周囲に照らされるものの、表示ユニットで発生した光では周囲との調和を取り難い。現在、映像表示装置と周囲との調和のとれた環境にしたいという要望がある。
【０００５】
本開示は、このような課題を解決するためになされたものであり、表示ユニットの浮遊感を演出する映像表示装置を提供する。
【課題を解決するための手段】
【０００６】
上記課題を解決するために、本発明に係る映像表示装置の一態様は、映像を表示する表示ユニットと、少なくとも一部に透光性を有し、前記表示ユニットを立設状態で支持する少なくとも１つの支持部と、前記表示ユニットに設けられ、前記支持部の少なくとも一部に光を照射する少なくとも１つの第１光源とを備える映像表示装置。
【発明の効果】
【０００７】
本発明によれば、表示ユニットの浮遊感を演出することができる。
【図面の簡単な説明】
【０００８】
【図１】図１は、実施の形態１に係る映像表示装置を示す斜視図である。
【図２】図２は、実施の形態１に係る映像表示装置を示す分解斜視図である。
【図３】図３は、実施の形態１に係る映像表示装置の第１右側連結金具及び右側第１光源を示す斜視図である。
【図４】図４は、実施の形態１に係る映像表示装置の右側ライトガイドを示す斜視図である。
【図５】図５は、実施の形態１に係る映像表示装置の右端カバー体を示す斜視図である。
【図６】図６の（Ａ）は、実施の形態１に係る映像表示装置の透光部を示す斜視図である。図６の（Ｂ）は、実施の形態１に係る映像表示装置の透光部を示す斜視図である。
【図７】図７は、実施の形態１に係る映像表示装置の本体部を示す斜視図である。
【図８】図８は、実施の形態１に係る映像表示装置の右側支持部５を示す斜視図である。
【図９】図９の（Ａ）は、実施の形態１に係る映像表示装置の取付金具及び上側第２光源を示す斜視図である。図９の（Ｂ）は、実施の形態１に係る映像表示装置の取付金具及び下側第２光源を示す斜視図である。図９の（Ｃ）は、実施の形態１に係る映像表示装置の取付金具及び下側第２光源を示す斜視図である。
【図１０】図１０の（Ａ）は、実施の形態１に係る映像表示装置のリヤキャビネットにおける上辺部分を示す部分分解断面斜視図である。図１０の（Ｂ）は、実施の形態１に係る映像表示装置の拡散板の斜視図である。
【図１１】図１１は、実施の形態１に係る映像表示装置のリヤキャビネットを示す部分拡大断面斜視図である。
【図１２】図１２は、実施の形態１に係る映像表示装置を示すブロック図である。
【図１３】図１３は、実施の形態１に係る映像表示装置における右側ライトガイド及び透光部を透光する光を示す模式図である。
【図１４】図１４は、実施の形態１に係る映像表示装置の右側第１光源、左側第１光源、上側第２光源、下側第２光源、左側第２光源及び右側第２光源を点灯させた状態を示す模式図である。
【図１５】図１５は、実施の形態２に係る映像表示装置を示すブロック図である。
【図１６】図１６は、実施の形態２に係る映像表示装置の動作を示すフローチャートである。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって特許請求の範囲に記載の主題を限定することを意図するものではない。
【００１１】
なお、各図は、必ずしも厳密に図示されたものではない。また、各図において、実質的に同一の構成に対しては同一の符号を付しており、重複する説明は省略又は簡略化する。
【００１２】
（実施の形態１）
［構成］
実施の形態１に係る映像表示装置１の構成について説明する。
【００１３】
図１は、実施の形態１に係る映像表示装置１を示す斜視図である。
【００１４】
図１では、映像表示装置１において、この装置の載置側を下方向と規定し、載置側と反対側の方向を上方向と規定して、前後、左右及び上下の各方向を表示する。そして、図２以降の各図に示す各方向は、全て図１に示す各方向に対応させて表示する。なお、図１では、上下方向、左右方向及び前後方向は、使用態様によって変化するため、これには限定されない。以降の図においても、同様である。
【００１５】
図１に示されるように、映像表示装置１は、例えばフラットパネルディスプレイ型の液晶テレビジョン受像機である。映像表示装置１は、表示ユニット３、右側支持部５（支持部の一例）、及び左側支持部７（支持部の一例）を備えている。
【００１６】
表示ユニット３は、パネル本体部９及びリアキャビネット１１を有しており、全体として矩形状のフラットパネル状に形成されている。
【００１７】
パネル本体部９は、表示パネル１３と、フロントキャビネット１５とを有している。表示パネル１３は、フロントキャビネット１５の内側に配置されている。パネル本体部９の正面には、画像が表示される表示パネル１３が設けられている。
【００１８】
フロントキャビネット１５は、矩形状の枠状に形成され、パネル本体部９の表示画面の外周部を覆うように配置されている。リアキャビネット１１は、パネル本体部９の背面全体を覆うように配置され、フロントキャビネット１５と連結されている。これにより、表示ユニット３の正面には、液晶パネルの表示画面が配置される。
【００１９】
図２は、実施の形態１に係る映像表示装置１を示す分解斜視図である。図３は、実施の形態１に係る映像表示装置１の第１右側連結金具２１及び右側第１光源３１を示す斜視図である。
【００２０】
図２に示されるように、パネル本体部９の背面には、第１右側連結金具２１、第２右側連結金具２２、第１左側連結金具２３、第２左側連結金具２４、右端カバー体２５及び左端カバー体２６が取り付けられている。
【００２１】
図３に示されるように、第１右側連結金具２１は、パネル本体部９の右下側に形成されている図２の右側取付け部９ａに、ネジで固定されている。第１右側連結金具２１は、上下に延びる平板部２１ａと、平板部２１ａの右側に形成されている板状の保持部２１ｂとを有している。平板部２１ａには、第２右側連結金具２２を固定する２つのネジ穴が上下に形成されている。平板部２１ａには、前方に延びる連結片が形成され、連結片を挿通するネジによりパネル本体部９に取り付けられている。保持部２１ｂは、後側に向かって光を照射するように右側第１光源３１（第１光源の一例）を保持している。
【００２２】
図２に示されるように、第１左側連結金具２３は、パネル本体部９の左下側に形成されている左側取付け部９ｂに、ネジで固定されている。第１左側連結金具２３も、上下に延びる平板部と、平板部の左側に形成されている保持部とを有している。平板部には、第２左側連結金具２４を固定する２つのネジ穴が上下に形成されている。平板部には、前方に延びる連結片が形成され、連結片を挿通するネジによりパネル本体部９に取り付けられている。保持部は、後側に向かって光を照射するように左側第１光源３２（第１光源の一例）を保持している。
【００２３】
右側第１光源３１、及び左側第１光源３２は、後述する制御部１０ａに電気的に接続されている。右側第１光源３１、及び左側第１光源３２は、ＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。
【００２４】
なお、右側第１光源３１、及び左側第１光源３２は、このような構成に限定されるものではなく、右側第１光源３１の図示しない基板上にＬＥＤチップが直接的に実装されたＣＯＢ（Ｃｈｉｐ  Ｏｎ  Ｂｏａｒｄ）型の発光モジュールが用いられてもよい。また、右側第１光源３１、及び左側第１光源３２が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００２５】
右側第１光源３１の後方向（照射方向）には、右側ライトガイド４１が設けられている。左側第１光源３２の後方向（照射方向）には、左側ライトガイド４５が設けられている。右側ライトガイド４１及び左側ライトガイド４５は、光が透光する透明の光学部材である。右側ライトガイド４１及び左側ライトガイド４５は、ポリカーボネートや、アクリルなどの透光性の樹脂であるが、その他どのような材料で形成されてもよい。
【００２６】
図４は、実施の形態１に係る映像表示装置１の右側ライトガイド４１を示す斜視図である。
【００２７】
図４に示されるように、右側ライトガイド４１は、上下に延びる柱状構造をなしている。右側ライトガイド４１は、延在部４２と、挿入部４３とを有している。
【００２８】
延在部４２は、右側第１光源３１からの光が入射する入射面４２ａと、第１反射面４２ｂと、第２反射面４２ｃとを有している。入射面４２ａは、前方向に向いており、右側ライトガイド４１の上側に形成されている。入射面４２ａは、右側第１光源３１が照射する後方向と略直交していることが好ましい。第１反射面４２ｂは、入射面４２ａの後方側に位置している。第１反射面４２ｂは、入射面４２ａの延長面と第１反射面４２ｂの延長面とが交わるように、前方から後方に向かって下り傾斜している。第２反射面４２ｃは、延在部４２の下側に位置し、第１反射面４２ｂと略平行な面である。
【００２９】
また、延在部４２における入射面４２ａの右側には、ネジ止め部４４が形成されている。右側ライトガイド４１は、ネジ止め部４４を挿通するネジにより右端カバー体２５に固定されている。
【００３０】
挿入部４３は、延在部４２の下端側から後方側に向かって突出している。挿入部４３は、後述する右端カバー体２５に挿入している。挿入部４３の先端には、入射面４２ａから入射した光が透光して出射する出射面４３ａと、第３反射面４３ｂとが形成されている。出射面４３ａは、右側ライトガイド４１の下側に形成され、右側支持部５と当接している。
【００３１】
右端カバー体２５は、リアキャビネット１１の右下側の角に取り付ける。同様に左端カバー体２６も、リアキャビネット１１の左下側の角に取り付ける。
【００３２】
図５は、実施の形態１に係る映像表示装置１の右端カバー体２５を示す斜視図である。
【００３３】
図５に示されるように、右端カバー体２５は、扇状に形成された板部と、側壁２５ａとを有している。
【００３４】
側壁２５ａは、板部の弧形状を形成する縁部分から上方に向かって延びる湾曲した壁である。側壁２５ａには、右側ライトガイド４１の挿入部４３が挿入される挿通孔２５ｂと、後方から前方に向かって凹む収容空間２５ｃとが形成されている。
【００３５】
挿通孔２５ｂは、右側ライトガイド４１の挿入部４３を挿入することができる孔である。挿入部４３が側壁２５ａの前方から後方に向かって挿通孔２５ｂに挿入した際に、右側ライトガイド４１の出射面４３ａは、側壁２５ａの後方から剥きだしの状態となる。出射面４３ａは、右側支持部５と当接している。収容空間２５ｃには、右側支持部５の一部と、カバー部材２７の一部とが配置されている。
【００３６】
図２に示されるように、第２右側連結金具２２は、右側支持部と第１右側連結金具２１とを接続するジョイントである。第２右側連結金具２２は、右側から左側を見た場合に、Ｌ字状をなしている。
【００３７】
第２右側連結金具２２は、第１右側連結金具２１の平板部２１ａと係合する平板状の第１固定部２２ａと、第１固定部２２ａの下端縁から後方に向かって延びる第２固定部２２ｂとを有している。第１固定部２２ａは、第１右側連結金具２１における平板部２１ａの下側から挿しこむように配置されている。第１固定部２２ａは、第１右側連結金具２１の平板部２１ａにネジで固定されている。第２固定部２２ｂは、右側支持部５に固定されている。第２固定部２２ｂの上方には、ネジ止めされた第２固定部２２ｂを覆う樹脂製のカバー部材２７が設けられている。
【００３８】
図１に示されるように、右側支持部５は、表示ユニット３の右側を立設状態で支持する。左側支持部７は、表示ユニット３の左側を立設状態で支持する。
【００３９】
図２に示されるように、右側支持部５は、透光性を有する右側透光部５０（透光部の一例）と、右側透光部５０に係合する金属製の右側本体部６０（本体部の一例）とを備えている。
【００４０】
図６の（Ａ）は、実施の形態１に係る映像表示装置１の右側透光部５０を示す斜視図である。図６の（Ｂ）は、実施の形態１に係る映像表示装置１の右側透光部５０を示す斜視図である。図７は、実施の形態１に係る映像表示装置１の右側本体部６０を示す斜視図である。図８は、実施の形態１に係る映像表示装置の右側支持部５を示す斜視図である。図８は、右側支持部５は、表示ユニット３の右下側に取り付け、表示ユニット３を立設させている状態を示している。なお、図示は省略するが、左側支持部７においても、表示ユニット３の左下側に取り付け、表示ユニット３を立設させている状態を示している。
【００４１】
図６の（Ａ）、図６の（Ｂ）及び図８に示されるように、右側透光部５０は、板部５１と、透光部支持片５５とを有している。
【００４２】
板部５１は、前方から左後方に向かって反るように湾曲した長尺の板状をなしている。板部５１における周囲の縁部分は、照射する光を広げるエッチング加工が行われている。板部５１は、ポリカーボネートや、アクリルなどの透光性の樹脂であるが、その他どのような材料で形成されてもよい。
【００４３】
板部５１は、当接面５１ａと、凹部５１ｂと、足側係合部５１ｃとを有している。
【００４４】
当接面５１ａは、左側の面（表示ユニット３側の面）であり、右側ライトガイド４１の出射面４３ａと当接する面である。当接面５１ａには、右側ライトガイド４１を透光する光が入射する。当接面５１ａと出射面４３ａとの間には隙間がないことが好ましい。凹部５１ｂは、当接面５１ａとは反対側の面（右側の面）から、当接面５１ａに向かうほど狭くなり、上下方向に延びて凹んでいる。凹部５１ｂは、傾斜面５２ｋを有している。傾斜面５２ｋは、凹部５１ｂの側面であり、傾斜面５２ｋの延長面と出射面４３ａの延長面とが交差するように配置されている。足側係合部５１ｃは、当接面５１ａとは反対側の面（右側の面）から、右側本体部６０を嵌め込むことができるような形状で凹んでいる。足側係合部５１ｃは、板部５１の下端の下辺と後端の後辺とに沿うように略Ｌ字状に形成されている。
【００４５】
透光部支持片５５は、板部５１の後側で左側に向かって垂直に折り曲げられている。透光部支持片５５は、ネジ穴５５ａを有し、ネジ穴５５ａ及び右側本体部６０を挿通するネジにより固定されている。
【００４６】
図７及び図８に示されるように、右側本体部６０は、係合部６１と、第１本体部支持片６５と、第２本体部支持片６６とを有している。
【００４７】
係合部６１は、右方向を見た場合に略Ｌ字状をなした板である。係合部６１は、右側透光部５０における板部５１の下辺と後辺とに沿うように右側透光部５０の足側係合部５１ｃに嵌め込まれている。係合部６１の下端面には、ゴム等で構成されている図２の滑り止め部材８１が設けられている。
【００４８】
第１本体部支持片６５は、係合部６１の上側で左側に向かって垂直に折り曲げられている。第１本体部支持片６５は、カバー部材２７と右側透光部５０の透光部支持片５５との間に位置している。第１本体部支持片６５は、ネジ穴６５ａを有し、各ネジ穴６５ａを挿通するネジにより、右側透光部５０の透光部支持片５５が固定されている。つまり、右側本体部６０の裏面は、右側透光部５０における足側係合部５１ｃ及び第１本体部支持片６５と密着するように配置される。第２本体部支持片６６は、第１本体部支持片６５と面一となっており、第１本体部支持片６５から前方に向かって延びている。
【００４９】
第２本体部支持片６６は、ネジ穴６６ａを有し、第２右側連結金具２２の第２固定部２２ｂの裏面に配置され、第２固定部２２ｂとネジにより固定されている。第２本体部支持片６６は、右側支持部５は、表示ユニット３に組み付けた際に、外部から視認することができないように、右端カバー体２５の収容空間２５ｃ内に収容されている。
【００５０】
なお、左側ライトガイド４５、左端カバー体２６、第２左側連結金具２４、左側支持部７の左側透光部７１（透光部の一例）及び左側支持部７の左側本体部７２（本体部の一例）は、右側ライトガイド４１、右端カバー体２５、第２右側連結金具２２、右側支持部５の右側透光部５０及び右側支持部５の右側本体部６０と、上下方向及び前後方向で形成される面に対して対称な構成であるため、これらの説明を省略する。
【００５１】
図２に示されるように、パネル本体部９の背面には、上側第２光源３３（第２光源の一例）、下側第２光源３４（第２光源の一例）、左側第２光源３５（第２光源の一例）及び右側第２光源３６（第２光源の一例）が設けられている。
【００５２】
上側第２光源３３は、パネル本体部９の背面における上辺の中央付近に設けられている。下側第２光源３４は、パネル本体部９の背面における下辺の中央付近に設けられている。右側第２光源３６は、パネル本体部９の背面における右辺の中央付近に設けられている。左側第２光源３５は、パネル本体部９の背面における左辺の中央付近に設けられている。
【００５３】
図９の（Ａ）は、実施の形態１に係る映像表示装置１の取付金具８２及び上側第２光源３３を示す斜視図である。図９の（Ｂ）は、実施の形態１に係る映像表示装置１の取付金具８２及び下側第２光源３４を示す斜視図である。図９の（Ｃ）は、実施の形態１に係る映像表示装置１の取付金具８２及び下側第２光源３４を示す斜視図である。
【００５４】
図９の（Ａ）、図９の（Ｂ）及び図９の（Ｃ）に示されるように、上側第２光源３３、下側第２光源３４、左側第２光源３５及び図２の右側第２光源３６は、後方に向けて光を照射することができるように、それぞれに対応する取付金具８２の背面に取り付けられている。上側第２光源３３、下側第２光源３４、左側第２光源３５及び図２の右側第２光源３６は、右側第１光源３１及び左側第１光源３２と同様の光学素子である。各取付金具８２に上側第２光源３３、下側第２光源３４、左側第２光源３５及び図２の右側第２光源３６を組み付けた部材を表示ユニット３の上側背面、下側背面、右側背面、左側背面にネジによりそれぞれ取り付けてられている。
【００５５】
図２に示すように、下側第２光源３４を取り付ける取付金具８２の背面には、表示パネル１３を光らせる制御回路がパネル本体部９の背面に設けられている。制御回路は、下側第２光源３４を取り付ける取付金具８２により覆われている。なお、右側第２光源３６は、左側第２光源３５と上下方向及び前後方向で形成される面に対して対称な構成であるため、これらの説明を省略する。
【００５６】
リアキャビネット１１は、平板状をなした樹脂製のカバーである。リアキャビネット１１には、上側第２光源３３、下側第２光源３４、左側第２光源３５及び右側第２光源３６に対応する位置に、貫通孔１１ａ、１１ａ、１１ａ、１１ａがそれぞれ形成されている。貫通孔１１ａは、前後方向に貫通している孔である。各貫通孔１１ａの後方の開口は、拡散板９１によってそれぞれ覆われている。
【００５７】
図１０の（Ａ）は、実施の形態１に係る映像表示装置１のリヤキャビネット１１における上辺部分を示す部分分解断面斜視図である。図１０の（Ｂ）は、実施の形態１に係る映像表示装置１の拡散板９１の斜視図である。
【００５８】
図１０の（Ａ）に示されるように、貫通孔１１ａは、上側第２光源３３が照射する光を貫通孔１１ａにおける拡散板９１に導くことができるように形成されている。
【００５９】
具体的には、貫通孔１１ａは、後方から前方に向けて先細になっている。言い換えれば、拡散板９１から上側第２光源３３に近づくほど狭まっている。なお、貫通孔１１ａを前方向に向かって見た場合に、上側第２光源３３の各基板が見えないように後方から前方に向けて狭まっていることが好ましい。
【００６０】
図１０の（Ｂ）に示されるように、リアキャビネット１１の上側部分の貫通孔１１ａにおける後側の開口には、脱着可能な拡散板９１が装着されている。拡散板９１は、透光性の部材であればよい。また、拡散板９１は、例えば、内部に拡散粒子が設けられている拡散板でもよい。
【００６１】
拡散板９１は、平板部９１ａと、平板部９１ａの両端で前方に向かって突出する一対の爪部９１ｂとを有している。平板部９１ａには、後面から前方に向かって突出する入射凸部９２が形成されている。入射凸部９２は、上下に延びる山状に形成されている。入射凸部９２の先端側は、上下方向に延び、後方に向かって凹む切り欠き溝９２ａが形成されている。切り欠き溝９２ａへ上側第２光源３３から照射される光が入射する。両爪部９１ｂは、リアキャビネット１１に形成されている図１０の（Ｂ）の係合孔１１ｂに挿入して拡散板９１をリアキャビネット１１に固定する。
【００６２】
なお、下側第２光源３４、左側第２光源３５及び右側第２光源３６に対応する、各貫通孔１１ａ、１１ａ、１１ａ及び各拡散板９１、９１、９１においても、上側第２光源３３に対応する貫通孔１１ａ及び拡散板９１と同様の構成であり、その説明を省略する。
【００６３】
図１１は、実施の形態１に係る映像表示装置１のリアキャビネット１１を示す部分拡大断面斜視図である。図１１は、リアキャビネット１１をパネル本体部９に組み付け、リアキャビネット１１に拡散板９１を組み付けた状態を示している。
【００６４】
図１１に示されるように、拡散板９１は、上側第２光源３３から照射した光を外部に出射することができるように配置されている。
【００６５】
拡散板９１には、外部に光を出射する複数の拡散溝９１ｃが形成されている。拡散溝９１ｃは、拡散板９１の後面に形成され、上側第２光源３３からの光を表示ユニット３における裏側の左右方向に向けて出射する様に形成されている凹凸面である。具体的には、上側第２光源３３に対応する位置（上辺）にある拡散板９１には、上下方向に延びる拡散溝９１ｃが複数形成されている。拡散溝９１ｃは、山部と谷部とが繰り返す三角波状をなしている。上側第２光源３３から照射された光は、貫通孔１１ａを通過して、拡散板９１の前面から入射する。そして、拡散板９１内を透光した光は、拡散板９１から広がるように出射される。
【００６６】
また、下側第２光源３４に対応する位置（下辺）にある拡散板９１にも、上側第２光源３３に対応する位置（上辺）にある拡散板９１と同様の上下方向に延びる拡散溝が複数形成されている。下側第２光源３４に対応する位置（下辺）にある拡散板９１は、下側第２光源３４からの光を表示ユニット３における裏側の左右方向に向けて出射する様に形成されている。
【００６７】
一方、左側第２光源３５に対応する位置（左辺）にある拡散板９１及び右側第２光源３６に対応する位置（右辺）にある拡散板９１には、左右方向に延びる拡散溝が複数形成されている。左側第２光源３５に対応する位置（左辺）にある拡散板９１及び右側第２光源３６に対応する位置（右辺）にある拡散板９１は、左側第２光源３５及び」右側第２光源３６からの光を表示ユニット３における裏側の上下方向に広がるように出射する様に形成されている。
【００６８】
図１２は、実施の形態１に係る映像表示装置１を示すブロック図である。
【００６９】
図１２に示されるように、パネル本体部９は、表示パネル１３の他に、制御部１０ａ、及び操作部１０ｂを有している。
【００７０】
制御部１０ａは、図示しない通信部を介して外部から取得した映像信号に基づいて、表示パネル１３及びバックライト等を制御する。制御部１０ａは、例えば、制御プログラムを記憶する図示しない記憶部と、制御プログラムを実行する図示しない演算処理部とで構成される。なお、映像信号は、表示パネル１３に画像を表示させるための信号であり、例えばＤＶＤ（Ｄｉｇｉｔａｌ  Ｖｅｒｓａｔｉｌｅ  Ｄｉｓｃ）等の記録媒体、あるいは、地上デジタル放送又は衛星デジタル放送等の放送機器から出力される。
【００７１】
制御部１０ａは、右側第１光源３１、左側第１光源３２、上側第２光源３３、下側第２光源３４、左側第２光源３５及び右側第２光源３６と電気的に接続されている。制御部１０ａは、右側第１光源３１、左側第１光源３２、上側第２光源３３、下側第２光源３４、左側第２光源３５及び右側第２光源３６に制御信号を出力し、これら光源が照射する光を昼白色又は電球色に切替える。制御部１０ａは、回路基板、回路基板に実装された各種の電子部品で構成されている切替部を有している。昼白色の色温度は６０２０Ｋから７０５０Ｋまでであり、電球色の色温度は２５８０Ｋから２８７０Ｋまでである。なお、切替部は、ユーザが右側第１光源３１、左側第１光源３２、上側第２光源３３、下側第２光源３４、左側第２光源３５及び右側第２光源３６を昼白色又は電球色に切り替えたりするためスイッチなどであってもよい。
【００７２】
なお、右側第１光源３１、左側第１光源３２、上側第２光源３３、下側第２光源３４、左側第２光源３５及び右側第２光源３６は、周囲との調和をとるという観点から、これら全ての光源において昼白色又は電球色に統一されていることが好ましい。
【００７３】
制御部１０ａは、右側第１光源３１及び左側第１光源３２である各第１光源を同時に点灯させ、上側第２光源３３、下側第２光源３４、左側第２光源３５及び右側第２光源３６である各第２光源を同時に点灯させる。なお、制御部１０ａは、各第１光源と各第２光源とを独立して点灯、照射する光を昼白色又は電球色に切替え、消灯させることができてもよい。
【００７４】
図１３は、実施の形態１に係る映像表示装置１における右側ライトガイド４１及び右側透光部５０を透光する光を示す模式図である。
【００７５】
図４に示されるように、この映像表示装置１において、右側第１光源３１から照射した光は、右側ライトガイド４１の入射面４２ａに入射する。入射面４２ａから入射して透光する光は、右側ライトガイド４１の第１反射面４２ｂで反射され、右側ライトガイド４１の第２反射面４２ｃで反射され、図１３に示す第３反射面４３ｂで反射され、挿入部４３の出射面４３ａから出射する。図１３に示されるように、出射面４３ａから出射した光は、右側透光部５０の当接面５１ａから入射する。右側透光部５０の当接面５１ａから入射した光は、そのほとんどが凹部５１ｂの傾斜面５２ｋで反射し、右側透光部５０の前側に向かって透光する。こうして、右側透光部５０からは、全体から透光する光が出射する。なお、左側第１光源３２から照射した光についても右側と同様であり、その説明を省略する。
【００７６】
また、この映像表示装置１において、上側第２光源３３から出射した光は、貫通孔１１ａを通過してそのほとんどが拡散板９１の入射凸部９２に入射する。拡散板９１の入射凸部９２に入射した光は、平板部を透過し、リアキャビネット１１の左右方向に広がって照射する。また、リアキャビネット１１の下辺側においても同様であり、リアキャビネット１１の左辺側及び右辺側においては、上下方向に広がって照射する。
【００７７】
図１４は、実施の形態１に係る映像表示装置の右側第１光源３１、左側第１光源３２、上側第２光源３３、下側第２光源３４、左側第２光源３５及び右側第２光源３６を点灯させた状態を示す模式図である。
【００７８】
図１４に示すように、各第１光源からの光の照射により、映像表示装置１の下方側が明るくなる。また、映像表示装置１では、各第２光源からの光の照射により、表示ユニット３における後側の四辺から光が照射されることで、表示ユニット３の周囲が明るく照らされる。
【００７９】
［作用効果］
次に、本実施の形態１に係る映像表示装置１の作用効果について説明する。
【００８０】
上述したように、実施の形態１に係る映像表示装置１では、映像を表示する表示ユニット３と、少なくとも一部に透光性を有し、表示ユニット３を立設状態で支持する少なくとも１つの支持部と、表示ユニット３に設けられ、支持部の少なくとも一部に光を照射する少なくとも１つの第１光源とを備える。
【００８１】
この構成によれば、右側第１光源３１及び左側第１光源３２から出射した光は、右側透光部５０及び左側透光部７２から光が出射するため、表示ユニット３の下側が明るく照らされる。
【００８２】
したがって、表示ユニット３の浮遊感を演出することができる。
【００８３】
また、実施の形態１に係る映像表示装置１において、右側支持部５及び左側支持部７は、透光性を有する右側透光部５０と、右側透光部５０に係合する金属製の右側本体部６０とを備える。
【００８４】
この構成によれば、右側本体部６０が右側透光部５０に係合することで右側支持部５の強度を確保することができる。また、左側においても同様の作用効果を奏する。
【００８５】
また、実施の形態１に係る映像表示装置１において、さらに、右側第１光源３１が照射する光を右側透光部５０へ透光する右側ライトガイド４１を有する。
【００８６】
この構成によれば、右側第１光源３１が照射する光を右側ライトガイド４１により右側透光部５０へ導くことができるため、右側第１光源３１の配置の自由度が向上する。なお、左側においても同様の作用効果を奏する。
【００８７】
また、実施の形態１に係る映像表示装置１において、さらに、表示ユニット３の外周に沿って配置される複数の上側第２光源３３、下側第２光源３４、左側第２光源３５及び右側第２光源３６と、各上側第２光源３３、下側第２光源３４、左側第２光源３５及び右側第２光源３６が照射するそれぞれの光を拡散する複数の拡散板９１とを備える。
【００８８】
この構成によれば、拡散板９１から出射する光によって、表示ユニット３の外周が配光特性の広い柔らかな光に包まれることで、住居空間における周囲との調和のとれた演出を行うことができる。
【００８９】
特に、この映像表示装置１の後側の傍に壁が配置されている使用態様では、各拡散板９１の拡散溝９１ｃから出射した光が壁に反射して表示ユニット３の周囲をより明るく照らすことができる。
【００９０】
また、実施の形態１に係る映像表示装置１では、さらに、右側第１光源３１、左側第１光源３２、上側第２光源３３、下側第２光源３４、左側第２光源３５及び右側第２光源３６に制御信号を出力する制御部１０ａを備える。制御部１０ａは、右側第１光源３１、左側第１光源３２、上側第２光源３３、下側第２光源３４、左側第２光源３５及び右側第２光源３６が照射する光を昼白色又は電球色に切替える。
【００９１】
この構成によれば、制御部１０ａが右側第１光源３１、左側第１光源３２、上側第２光源３３、下側第２光源３４、左側第２光源３５及び右側第２光源３６から照射される光を昼白色又は電球色に切替えることができるため、住居空間における周囲との調和を取り易くなる。
【００９２】
また、実施の形態１に係る映像表示装置１において、表示ユニット３には、各第２光源から照射するそれぞれの光を各拡散板９１に導く複数の貫通孔１１ａが形成されている。そして、貫通孔１１ａは、各拡散板９１から各第２光源に近づくほど狭まっている。
【００９３】
この構成によれば、各第２光源から照射される光が各拡散板９１から出射し易い。
【００９４】
特に、映像表示装置１の内部構造が見え難くなり、見かかりがよい。
【００９５】
（実施の形態２）
本実施の形態２において、映像表示装置１における他の構成は、実施の形態１の映像表示装置１と同様であり、同一の構成については同一の符号を付して構成に関する詳細な説明を省略する。
【００９６】
図１５は、実施の形態２に係る映像表示装置１を示すブロック図である。
【００９７】
図１５に示されるように、パネル本体部９は、表示パネル１３の他に、制御部１０ａ、照度センサ１０ｃ（センサ部の一例）、及び操作部１０ｂを有している。
【００９８】
制御部１０ａには、照度センサ１０ｃが接続されている。照度センサ１０ｃは、周囲の照度（明るさ）を測定して制御部１０ａに伝達する検出回路であり、右側第１光源３１、左側第１光源３２、上側第２光源３３、下側第２光源３４、左側第２光源３５及び右側第２光源３６の発光制御を行うために設けられている。照度センサ１０ｃは、フロントキャビネット１５側で周囲の光を取り入れることができるように設けられている。
【００９９】
制御部１０ａは、照度センサ１０ｃが検知した照度が所定の閾値未満の場合に、各第１光源及び各第２光源の少なくともいずれかから光を照射させるように制御する。一方、制御部１０ａは、照度センサ１０ｃが検知した照度が所定の閾値以上の場合に、右側第１光源３１、左側第１光源３２、上側第２光源３３、下側第２光源３４、左側第２光源３５及び右側第２光源３６の照射を停止させるように制御する。制御部１０ａは、記憶部に格納されている予め設定された閾値に基づいて右側第１光源３１、左側第１光源３２、上側第２光源３３、下側第２光源３４、左側第２光源３５及び右側第２光源３６の点灯及び消灯を制御する。なお、閾値は、予め設定されている値でもよく、ユーザが任意に設定することができてもよい。
【０１００】
操作部１０ｂは、ユーザからの求めに応じた操作を受け付ける。操作部１０ｂは、例えば、映像表示装置１に内蔵されている操作パネルなどである。また、操作部１０ｂは、映像表示装置１と独立したリモコンであってもよい。
【０１０１】
［動作］
本実施の形態２における映像表示装置１の動作について、図１６を用いて説明する。
【０１０２】
図１６は、実施の形態２に係る映像表示装置１の動作を示すフローチャートである。
【０１０３】
図１６に示されるように、まず、ユーザは、映像表示装置１を起動後、外部が暗い状況の場合に、自動で各第１光源及び各第２光源を点灯させる自動点灯消灯モードを起動させる。自動点灯消灯モードは、映像表示装置１の入力部に備え付けられている操作モードである。なお、映像表示装置１を操作するリモコンにも、この自動点灯消灯モードが設けられていることが好ましい。そして、ユーザが操作部１０ｂを介して設定することにより自動点灯消灯モードが開始する。
【０１０４】
制御部１０ａは、自動点灯消灯モードが設定されているか否かを判断する（Ｓ１）。自動点灯消灯モードが設定されている場合（Ｓ１ではＹＥＳ）に、照度センサ１０ｃは、周囲の照度を測定する（Ｓ２）。そして、照度センサ１０ｃは、測定した照度を示す照度信号を制御部１０ａに伝達する。一方、自動点灯消灯モードが設定されていない場合（Ｓ１ではＮＯ）は、各第１光源及び各第２光源を点灯させる必要がないと判断し、ステップＳ１に戻る。
【０１０５】
制御部１０ａは、照度信号から、周囲の照度が閾値未満であるか否かを判断する（Ｓ３）。制御部１０ａは、照度が所定の閾値以上である場合（Ｓ３ではＮＯ）に、周囲が明るいため、点灯させる必要が無いと判断し、ステップＳ１に戻る。
【０１０６】
制御部１０ａは、照度が所定の閾値未満である場合（Ｓ３ではＹＥＳ）に、周囲が暗いため各第１光源及び各第２光源の少なくともいずれかを点灯させる必要があると判断する。制御部１０ａは、各第１光源及び各第２光源の少なくともいずれかを点灯させるかを判断する。まず、制御部１０ａは、各第１光源のみを点灯させる設定がされているか否かを判断する（Ｓ４）。制御部１０ａは、各第１光源のみを点灯させる設定がされている場合（Ｓ４ではＹＥＳ）には、各第１光源のみを点灯させる（Ｓ５）。そして、スタートに戻る。
【０１０７】
制御部１０ａは、各第１光源のみを点灯させる設定がされていない場合（Ｓ４ではＮＯ）は、各第２光源のみを点灯させる設定がされているか否かを判断する（Ｓ６）。制御部１０ａは、各第２光源のみを点灯させる設定がされている場合（Ｓ６ではＹＥＳ）は、各第２光源のみを点灯させる（Ｓ７）。そして、スタートに戻る。
【０１０８】
制御部１０ａは、各第２光源のみを点灯させる設定がされていない場合（Ｓ６ではＮＯ）は、各第１光源、及び各第２光源の両方を点灯させる設定がされていると判断し、各第１光源、及び各第２光源の両方を点灯させる（Ｓ８）。そして、スタートに戻る。
【０１０９】
例えば、映像表示装置１は、ユーザがこの自動点灯消灯モードを作動させた場合において、周囲が暗い状況（周囲の照度が閾値未満）では映像表示装置１の周囲が明るくなり、ユーザが部屋の照明等を点灯させて明るくした場合等に、この自動点灯消灯モードにより各第１光源及び各第２光源を消灯する。
【０１１０】
また、この映像表示装置１では、使用状況によって右側第１光源３１及び左側第１光源３２を点灯させない設定をすることができる。
【０１１１】
また、ユーザは、映像表示装置１を起動させて、映像表示装置１の初期設定時に壁掛けか載置かを選択することができる。ユーザが壁掛けを選択した場合は、制御部１０ａが右側支持部５及び左側支持部７を取付けないと判断し、右側第１光源３１及び左側第１光源３２から光を照射させないように設定する。一方、ユーザが載置を選択した場合は、制御部１０ａが右側支持部５及び左側支持部７を取付けると判断し、右側第１光源３１及び左側第１光源３２から光を照射させるように設定する。
【０１１２】
［作用効果］
次に、本実施の形態２に係る映像表示装置１の作用効果について説明する。
【０１１３】
実施の形態２に係る映像表示装置１において、さらに、照度を検知する照度センサ１０ｃを備える。制御部１０ａは、さらに、照度センサ１０ｃが検知した照度が所定の閾値未満の場合に、第１光源及び第２光源の少なくともいずれかから光を照射させるように制御する。また、制御部１０ａは、照度センサ１０ｃが検知した照度が所定の閾値以上の場合に、第１光源及び第２光源の照射を停止させるように制御する。
【０１１４】
この構成によれば、住居空間が暗い状況でも、照度センサ１０ｃを介して制御部１０ａが自動で第１光源及び第２光源の少なくともいずれかを点灯させるため、映像表示装置１の周囲を光らせることができる。このため、光の照射による演出効果が高い。
【０１１５】
実施の形態２においても、他の作用効果については、実施の形態１と同様の作用効果を奏する。
【０１１６】
（その他変形例等）
以上、本実施の形態１、２に係る映像表示装置について、実施の形態１、２に基づいて説明したが、本発明は、上記実施の形態１、２に限定されるものではない。
【０１１７】
また、上記実施の形態においては、この自動点灯消灯モードにおいて、制御部は、周囲の明るさに応じた発光制御を行ってもよい。具体的には、記憶部には、第１閾値と、第１閾値よりも大きい第２閾値とが格納されている。制御部は、検知した照度が第１閾値未満の場合に昼白色で点灯させ、検知した照度が第１閾値以上第２閾値未満の場合に電球色で点灯させ、検知した照度が第２閾値以上の場合に消灯させてもよい。
【０１１８】
また、上記実施の形態においては、右側ライトガイド、及び左側ライトガイドにおけるそれぞれの入射面、及びそれぞれの出射面以外に光を反射する反射部材が設けられていてもよい。この場合、より強い光が出射面から出射することができる。
【０１１９】
また、上記実施の形態において、映像表示装置を壁に取り付ける場合では、右側支持部と左側支持部とを取り外した状態とする。この場合、右側第１光源及び左側第１光源から光を照射させないように設定することができてもよい。例えば、右側支持部及び左側支持部を表示ユニットの取付部に取り付けた際に、取付部に設けられているスイッチがＯＮ状態にされて右側第１光源及び左側第１光源が点灯することができるようにされ、右側支持部及び左側支持部を取付部から取り外した際にＯＦＦ状態にされて右側第１光源及び左側第１光源が点灯できない仕組みでもよい。また、表示ユニットに光センサ等を設け、そのセンサの検知により右側第１光源及び左側第１光源の点灯を行うか行わないかの判断を制御部で行わせてもよい。
【０１２０】
以上のように、本開示における技術の例示として、実施の形態を説明した。そのために、添付図面および詳細な説明を提供した。
【０１２１】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１２２】
また、上述の実施の形態は、本開示における技術を例示するためのものであるから、特許請求の範囲またはその均等の範囲において種々の変更、置き換え、付加、省略などを行うことができる。
【産業上の利用可能性】
【０１２３】
本発明は、映像を表示するテレビジョン等の映像表示装置に有用である。
【符号の説明】
【０１２４】
３  表示ユニット
５  右側支持部５（支持部）
７  左側支持部７（支持部）
１０ａ  制御部
１０ｃ  照度センサ（センサ部）
１１ａ  貫通孔
３１  右側第１光源
３２  左側第１光源
３３  上側第２光源（第２光源）
３４  下側第２光源（第２光源）
３５  左側第２光源（第２光源）
３６  右側第２光源（第２光源）
４１  右側ライトガイド（ライトガイド）
４５  左側ライトガイド（ライトガイド）
５０  右側透光部（透光部）
６０  右側本体部（本体部）
７１  左側透光部（透光部）
７２  左側本体部（本体部）
９１  拡散板
【図１】
2020095061.tif 000003
【図２】
2020095061.tif 000004
【図３】
2020095061.tif 000005
【図４】
2020095061.tif 000006
【図５】
2020095061.tif 000007
【図６】
2020095061.tif 000008
【図７】
2020095061.tif 000009
【図８】
2020095061.tif 000010
【図９】
2020095061.tif 000011
【図１０】
2020095061.tif 000012
【図１１】
2020095061.tif 000013
【図１２】
2020095061.tif 000014
【図１３】
2020095061.tif 000015
【図１４】
2020095061.tif 000016
【図１５】
2020095061.tif 000017
【図１６】
2020095061.tif 000018